(57)【要約】【課題】  同形状のパズル片を平面状及び立体状に組み立てて遊ぶことを可能にしたパズル玩具を提供する。【解決手段】  パズル玩具10は、複数のパズル片20からなるパズル玩具10であって、パズル片20は正方形とされる本体部21を備え、本体部21の各辺には突出部を有し、突出部は、突出部が本体部21に接続される基部34に対して左右に広がる先端部32を備えたＴ型凸部30とされ、本体部21の一辺に隣接された突出部の間には、他のパズル片20の突出部であるＴ型凸部30の先端部32がパズル片20の突出部であるＴ型凸部30の基部34の間に嵌合されて互いのパズル片20が着脱可能に係合する。【選択図】  図１
2013240398.tif 000002
【特許請求の範囲】
【請求項１】
複数のパズル片からなるパズル玩具であって、
前記パズル片は正方形とされる本体部を備え、
前記本体部の各辺には突出部を有し、該突出部は、該突出部が前記本体部に接続される基部に対して左右に広がる先端部を備えたＴ型凸部とされ、
前記本体部の一辺に隣接された前記突出部の間には、他のパズル片の突出部であるＴ型凸部の先端部が当該パズル片の突出部であるＴ型凸部の基部の間に嵌合されて互いのパズル片が着脱可能に係合することを特徴とするパズル玩具。
【請求項２】
前記突出部であるＴ型凸部は、先端部の左右への突出が左右対称に形成されて、前記本体部の一辺の中間に設けられるＴ型凸部と、前記本体部の隅角に設けられ、先端部の左右への突出が左右非対称であって、外方への突出が大きくされた角Ｔ型凸部と、を含むことを特徴とする請求項１に記載のパズル玩具。
【請求項３】
前記突出部であるＴ型凸部及び角Ｔ型凸部は、当該突出部の基部の前記本体部からの突出長さが当該突出部全体の前記本体部からの突出長さの２分の１とされ、当該突出部の厚みが当該突出部基部の長さの１.１倍とされていることを特徴とする請求項２に記載のパズル玩具。
【請求項４】
前記突出部を有する本体部は、一辺中間に設けられるＴ型凸部を複数個有することを特徴とする請求項２又は請求項３に記載のパズル玩具。
【請求項５】
前記パズル片は、四辺に同一形状の前記突出部を備えるように、前記パズル片の中心から９０度回転させた位置の各辺に突出部を有していることを特徴とする請求項１又は請求項４の何れかに記載のパズル玩具。
【発明の詳細な説明】
【技術分野】
【０００１】
本発明は、組み立てて立体形状にして利用可能なパズル玩具に関するものである。
【背景技術】
【０００２】
従来、平板状のピースを合せて遊ぶ玩具としてはジグソーパズルなどが主流であった。また、組み立てて立体形状として遊ぶ玩具には、積み木やブロック等によるものがあった。
【０００３】
そして、下記に示す特許文献１には、ジョイントブロックを必要とせず、ブロックのみで順次連結することができ、連結したブロックは、所望の角度に連結することができる組立ブロックが開示されている。
【先行技術文献】
【特許文献】
【０００４】
【特許文献１】特許第３７０６８１８号公報
【発明の概要】
【発明が解決しようとする課題】
【０００５】
しかしながら、上述の特許文献１は、ブロックのみで他のブロックと連結することができるが、単体のブロックの周縁部分に寸法精度を要して係合させるための溝部や軸配置部とを有し、しかも、組立ブロックは異なる形状の複数種類のブロックからなることから、高価な物であるとともに取り扱いが容易ではなかった。
【０００６】
本発明は上述したような従来技術の問題点に鑑みてなされたものであり、同形状のパズル片を平面状及び立体状に組み立てて遊ぶことを可能にしたパズル玩具を提供することを目的としている。
【課題を解決するための手段】
【０００７】
本発明のパズル玩具は、複数のパズル片からなるパズル玩具であって、前記パズル片は正方形とされる本体部を備え、前記本体部の各辺には突出部を有し、該突出部は、該突出部が前記本体部に接続される基部に対して左右に広がる先端部を備えたＴ型凸部とされ、前記本体部の一辺に隣接された前記突出部の間には、他のパズル片の突出部であるＴ型凸部の先端部が当該パズル片の突出部であるＴ型凸部の基部の間に嵌合されて互いのパズル片が着脱可能に係合することを特徴とする。
【０００８】
また、本発明のパズル玩具は、前記突出部であるＴ型凸部が先端部の左右への突出が左右対称に形成されて、前記本体部の一辺の中間に設けられるＴ型凸部と、前記本体部の隅角に設けられ、先端部の左右への突出が左右非対称であって、外方への突出が大きくされた角Ｔ型凸部と、を含むことを特徴とする。
【０００９】
さらに、本発明のパズル玩具は、前記突出部であるＴ型凸部及び角Ｔ型凸部が、当該突出部の基部の前記本体部からの突出長さが当該突出部全体の前記本体部からの突出長さの２分の１とされ、当該突出部の厚みが当該突出部基部の長さの１.１倍とされていることを特徴とする。
【００１０】
そして、本発明のパズル玩具は、前記突出部を有する本体部が、一辺中間に設けられるＴ型凸部を複数個有することを特徴とする。
【００１１】
また、本発明のパズル玩具は、前記パズル片が、四辺に同一形状の前記突出部を備えるように、前記パズル片の中心から９０度回転させた位置の各辺に突出部を有していることを特徴とする。
【発明の効果】
【００１２】
本発明によれば、同形状のパズル片を平面状及び立体状に組み立てて遊ぶことを可能にしたパズル玩具を提供することができる。
【００１３】
また、本発明によれば、パズル片は中央にＴ型凸部、隅角に角Ｔ型凸部を有することから、組立てたパズル片間に隙間を設けることなく平面的に展開させることができる。
【００１４】
さらに、本発明によれば、パズル片のＴ型凸部を他のパズル片のＴ型凸部間に位置する基部に垂直に嵌合して立体的な形象体を作成するときに、抜けにくい構造とすることができる。
【００１５】
そして、本発明によれば、パズル片はＴ型凸部を各辺に夫々複数個づつ形成するようにすれば、パズル片を大小様々に用意することができ、小さな形象体から大きな形象体まで多岐にわたった形象体を作ることができる。
【００１６】
また、本発明によれば、パズル片は四辺に同一形状の突出部を形成されていることから、各パズル片の向きを自由として上下左右に自在に接続して様々な形象体を作って遊ぶことを可能としている。
【図面の簡単な説明】
【００１７】
【図１】本発明の実施例に係るパズル玩具のパズル片の斜視図である。
【図２】本発明の実施例に係るパズル玩具のパズル片の表裏面の各平面図である。
【図３】本発明の実施例に係るパズル玩具のパズル片を平面に接続させた平面図である。
【図４】本発明の実施例に係るパズル玩具のパズル片を垂直に組み立てた斜視図である。
【図５】本発明の実施例に係るパズル玩具の六角柱体の斜視図である。
【図６】本発明の実施例に係るパズル玩具のキャタピラ形象体の斜視図である。
【発明を実施するための形態】
【００１８】
以下、本発明を実施するための形態について述べる。パズル玩具10は、複数のパズル片20からなるパズル玩具10であって、パズル片20は正方形とされる本体部21を備える。そして、パズル玩具10は、本体部21の各辺には突出部を有し、突出部は、突出部が本体部21に接続される基部34に対して左右に広がる先端部32を備えたＴ型凸部30とされる。また、パズル玩具10は、本体部21の一辺に隣接された突出部の間には、他のパズル片20の突出部であるＴ型凸部30の先端部32がパズル片20の突出部であるＴ型凸部30の基部34の間に嵌合されて互いのパズル片20が着脱可能に係合するものである。
【００１９】
また、パズル玩具10は、突出部であるＴ型凸部30が先端部32の左右への突出が左右対称に形成されて、本体部21の一辺の中間に設けられるＴ型凸部30と、本体部21の隅角に設けられ、先端部32の左右への突出が左右非対称であって、外方への突出が大きくされた角Ｔ型凸部30aと、を含むものである。
【００２０】
さらに、パズル玩具10は、突出部であるＴ型凸部30及び角Ｔ型凸部30aが、突出部の基部34の本体部21からの突出長さが突出部全体の本体部21からの突出長さの２分の１とされ、突出部の厚みが突出部基部34の長さの１.１倍とされているものである。
【００２１】
そして、パズル玩具10は、突出部を有する本体部21が、一辺中間に設けられるＴ型凸部30を複数個有することが好ましい。
【００２２】
また、パズル玩具10は、パズル片20が、四辺に同一形状の突出部を備えるように、パズル片20の中心から９０度回転させた位置の各辺に突出部を有しているものである。
【実施例】
【００２３】
以下、本発明の実施例について図を用いて説明する。図１は、本発明の実施例に係るパズル玩具10のパズル片20の斜視図である。図２は、本発明の実施例に係るパズル玩具10のパズル片20の表裏面の各平面図である。図３は、本発明の実施例に係るパズル玩具10のパズル片20を平面に接続させた平面図である。図４は、本発明の実施例に係るパズル玩具10のパズル片20を垂直に組み立てた立体形象体60の斜視図である。図５は、本発明の実施例に係るパズル玩具10の六角柱体の立体形象体70の斜視図である。図６は、本発明の実施例に係るパズル玩具10のキャタピラ形状の立体形象体80の斜視図である。なお、パズル片20は、図２（ａ）に示す面を表面とし、図２（ｂ）に示す面を裏面とする。
【００２４】
本発明のパズル玩具10は、同形状のパズル片20を平面状及び立体状に組み立てて遊ぶことを可能にした玩具である。
【００２５】
パズル片20は、図１に示すように薄板状の硬質樹脂製であって、四辺に有する突出部分の先端まで含めた大きさが２５ｍｍ角程である。なお、このパズル片20の厚みと、Ｔ型凸部30、角Ｔ型凸部30a、Ｔ型凸部30の両端の基部34により形成される凹部40、及び、角凹部40aの寸法の関係については、変数Ｔを用いて後述する。
【００２６】
パズル片20は、中央に１６ｍｍ角程の正方形である本体部21を有する。パズル片20は、図２（ａ）に示すように本体部21の各辺の中央近くに突出部であるＴ型凸部30と、角近傍に突出部分である角Ｔ型凸部30aを有する。
【００２７】
Ｔ型凸部30と角Ｔ型凸部30aとは、夫々、根元に基部34を形成した元部31に対して先端部32が広がって構成されている。そして、パズル片20は、Ｔ型凸部30と角Ｔ型凸部30aとがパズル片20の中心から各辺に９０度回転した位置に夫々突出して形成されている。
【００２８】
また、Ｔ型凸部30と角Ｔ型凸部30aとの間には、基部34による開口部42が形成され、開口部42の本体部21部分を底部41として、他のパズル片20のＴ型凸部30が嵌合される凹部40と、角Ｔ型凸部30aが嵌合される角凹部40aとを有する。
【００２９】
そして、凹部と凸部との嵌合については、隙間なく着脱可能とされている。具体的には、図２（ａ）に示したようにＴ型凸部30及び角Ｔ型凸部30aの先端部32の幅は、６Ｔとされており、それに伴う開口部である凹部40及び角凹部40aの底部41の幅も６Ｔとされている。
【００３０】
そして、Ｔ型凸部30及び角Ｔ型凸部30aの突出部の長さについては先端部32を２Ｔとし、基部34も同様に２Ｔとされている。
【００３１】
また、Ｔ型凸部30の基部34であって、組立てたパズル片20が簡単に外れないように形成される先端係止部33の係止部分の幅は左右ともＴとされている。
【００３２】
そして、パズル片20の角に位置する角Ｔ型凸部30aは、左右の先端係止部33の係止部分の幅が中央寄りをＴとし、角寄りを２Ｔとして構成されている。
【００３３】
また、パズル片20の開口部にＴ型凸部30及び角Ｔ型凸部30aを垂直に組立てる場合の、パズル片20の厚みは図１に示したように２．２Ｔとされており、開口部の基部34の幅２Ｔよりも１．１倍の幅太とされることにより、簡単に外れない構成とされている。
【００３４】
そして、パズル片20は、表面を平面とし、裏面を図２（ｂ）に示すように外形に対して内方に所定のオフセットした位置の内側を裏面溝部22からなる平面として形成している。
【００３５】
そして、パズル玩具10は、パズル片20のＴ型凸部30、30aをそのパズル片20とは異なる他のパズル片20の凹部40、40aに平面状、又は、立体状に嵌合させた際に、Ｔ型凸部30、30aに形成した先端係止部33によって、お互いのパズル片20が不用意には外れにくくしながらも、互いのパズル片20を着脱可能に係合させている。
【００３６】
また、パズル玩具10は、パズル片20にはＴ型凸部30、30aが基部34から各辺に夫々同数突出して形成しており、パズル片20を上下左右の何れの方向に取り付け可能としている。
【００３７】
具体的には、パズル玩具10は、図１に示したように、Ｔ型凸部30、30aを基部34から各辺に夫々複数個である２個づつ突出して形成させることにより、コンパクトなパズル片20を形成することを可能にしている。
【００３８】
次に、パズル玩具10として、パズル片20を組み合せて形成される形象体について、図を用いて説明する。図３は、本発明の実施例に係るパズル玩具10のパズル片20を平面に接続させた平面形象体の平面図である。図４は、本発明の実施例に係るパズル玩具10のパズル片20を垂直に組み立てた立体形象体60の斜視図である。図５は、本発明の実施例に係るパズル玩具10の六角柱体の立体形象体70の斜視図である。図６は、本発明の実施例に係るパズル玩具10のキャタピラ形状の立体形象体80の斜視図である。
【００３９】
パズル玩具10は、図３に示すように、四方の四辺で他のパズル片20とＴ型凸部30、30aと凹部40、40aとを係合させることにより、同一平面で取り付けて自在な平面形象体50を形成するものである。
【００４０】
具体的には、パズル片20は、突出部であるＴ型凸部30が先端部32の左右への突出が左右対称に形成されて、本体部21の一辺の中間に設けられるＴ型凸部30と、本体部21の隅角に設けられ、先端部32の左右への突出が左右非対称であって、外方への突出が大きくされた角Ｔ型凸部30aと、を含むものとされている。
【００４１】
そして、パズル片20の各辺において、１個づつ隅角に角Ｔ型凸部30aを形成していることにより、パズル片20同士を隙間なく組立てることを可能としている。
【００４２】
なお、本実施例では、パズル片20の各辺に１個づつＴ型凸部30を形成しているが、それに限定されず、パズル片20の大きさに応じて、複数個のＴ型凸部30を形成するようにしても構わない。
【００４３】
また、パズル玩具10は、図４に示すように、パズル片20が四方の四辺で他のパズル片20とＴ型凸部30、30aと凹部40、40aとを係合させることにより、９０度垂直方向で取り付けて立体形象体60を形成するものである。
【００４４】
さらに、パズル玩具10は、パズル片20と他のパズル片20とを、部分的に略６０度の角度でＴ型凸部30、30aと凹部40、40aとを係合させて取り付けることにより、図５に示すような六角柱の立体形象体70を形成することができる。
【００４５】
また、パズル玩具10は、パズル片20と他のパズル片20とを、部分的に略６０度の角度でＴ型凸部30、30aと凹部40、40aとを係合させて取り付けることにより、図６に示すようなキャタピラ形状の立体形象体80を形成することができる。
【００４６】
以上のように本実施例によれば、同形状のパズル片20を平面状及び立体状に組み立てて遊ぶことを可能にしたパズル玩具10を提供することができる。
【００４７】
また、本実施例によれば、パズル片20は中央にＴ型凸部30、隅角に角Ｔ型凸部30aを有することから、組立てたパズル片間に隙間を設けることなく平面的に展開させることができる。
【００４８】
さらに、本実施例によれば、パズル片20のＴ型凸部30を他のパズル片20のＴ型凸部間に位置する基部34に垂直に嵌合して立体的な形象体を作成するときに、抜けにくい構造とすることができる。
【００４９】
そして、本実施例によれば、パズル片20はＴ型凸部30を各辺に夫々複数個づつ形成するようにすれば、パズル片20を大小様々に用意することができ、小さな形象体から大きな形象体まで多岐にわたった形象体を作ることができる。
【００５０】
また、本実施例によれば、パズル片20は四辺に同一形状の突出部を形成されていることから、各パズル片の向きを自由として上下左右に自在に接続して様々な形象体を作って遊ぶことを可能としている。
【００５１】
また、本実施例によれば、パズル片20は四方の四辺で他のパズル片20とＴ型凸部30、30aと凹部40、40aとを係合させることにより、同一平面で取り付けて自在な平面形状を形成することにより、発想豊かな知育玩具としても活用することができる。
【００５２】
さらに、本実施例によれば、パズル片20は四方の四辺で他のパズル片20とＴ型凸部30、30aと凹部40、40aとを係合させることにより、９０度垂直方向で取り付けて立体形状を形成することができることから、サイコロや建物等の形象体を自在に作って遊ぶことができる。
【００５３】
そして、本実施例によれば、パズル片20は四方の四辺で他のパズル片20とＴ型凸部30、30aと凹部40、40aとを係合させることにより、略６０度の角度で取り付けて立体形状を形成することができることから、斜面などを形成した形象体を自在に作成することができる。
【００５４】
また、本実施例によれば、パズル片20は表面を平面とし、裏面を外形に対して内方に所定のオフセットした位置の内側を溝からなる平面として形成していることにより、表裏を間違えることなく組立てることを可能としている。
【００５５】
また、本発明は、以上の実施例に限定されるものでなく、発明の要旨を逸脱しない範囲で自由に変更、改良が可能である。
【符号の説明】
【００５６】
10   パネル玩具                    20   パズル片
21   本体部                        22   裏面溝部
30   Ｔ型凸部                      30a  角Ｔ型凸部
31   元部                          32   先端部
33   先端係止部                    34   基部
40   凹部                          40a  角凹部
41   底部                          42   開口部
60   立体形象体
70   立体形象体                    80   立体形象体
【図１】
2013240398.tif 000003
【図２】
2013240398.tif 000004
【図３】
2013240398.tif 000005
【図４】
2013240398.tif 000006
【図５】
2013240398.tif 000007
【図６】
2013240398.tif 000008